【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
ユーザの足裏に設けられた圧力センサにより検出された加重検出情報に基づいて、足裏の加重分布情報を取得する加重分布情報生成部と、
前記加重分布情報に基づいて、前記ユーザへ通知する指示情報を生成する指示情報生成部と、
を備える、情報処理装置。
【請求項２】
前記指示情報は、前記ユーザの足裏に対して刺激を与えるための刺激情報である、請求項１に記載の情報処理装置。
【請求項３】
前記刺激情報は、振動による刺激、形状変化による刺激、または電気的刺激のうち少なくともいずれか１つを発生させる情報である、請求項２に記載の情報処理装置。
【請求項４】
前記指示情報生成部は、前記加重検出情報に含まれる加重強度に応じて、足裏への刺激の強さを変化させる、請求項２または３に記載の情報処理装置。
【請求項５】
前記指示情報は、ユーザに対して加重する位置を示す加重誘導情報である、請求項１〜４のいずれか１項に記載の情報処理装置。
【請求項６】
前記加重誘導情報は、映像または音声のうち少なくとも一方により提示される、請求項５に記載の情報処理装置。
【請求項７】
前記指示情報生成部は、前記ユーザの加重分布情報と、見本とする動作の加重強度分布を示す参照情報とを比較して、前記指示情報を生成する、請求項１〜６のいずれか１項に記載の情報処理装置。
【請求項８】
前記指示情報生成部は、前記ユーザまたは第三者の加重検出情報に連動して、前記ユーザへの指示を通知する機器を駆動させる指示情報を生成する、請求項１〜７のいずれか１項に記載の情報処理装置。
【請求項９】
前記指示情報生成部は、前記ユーザまたは第三者が装着するセンシングデバイスより検出されたセンサ情報に連動して、前記ユーザへの指示を通知する機器を駆動させる指示情報を生成する、請求項１〜８のいずれか１項に記載の情報処理装置。
【請求項１０】
前記指示情報生成部は、前記ユーザまたは第三者を撮影した映像に連動して、前記ユーザへの指示を通知する機器を駆動させる指示情報を生成する、請求項１〜９のいずれか１項に記載の情報処理装置。
【請求項１１】
前記ユーザのインソールに設けられたインソール通信部と通信可能な通信部を備える、請求項１〜１０のいずれか１項に記載の情報処理装置。
【請求項１２】
前記指示情報生成部は、１または複数の制御対象機器に対する指示情報を生成する、請求項１〜１１のいずれか１項に記載の情報処理装置。
【請求項１３】
前記指示情報生成部は、ユーザの進行方向を指示する情報を生成する、請求項１〜１２のいずれか１項に記載の情報処理装置。
【請求項１４】
前記加重分布情報生成部により取得された加重分布情報を蓄積する記憶部を備える、請求項１〜１３のいずれか１項に記載の情報処理装置。
【請求項１５】
蓄積された加重分布情報に基づいて、ユーザの動作特性を分析する分析部を備える、請求項１４に記載の情報処理装置。
【請求項１６】
ユーザの足裏の加重検出情報を取得する圧力検出部と、
検出された前記加重検出情報に基づいて、足裏の加重分布情報を取得する加重分布情報生成部と、
前記加重分布情報に基づいて、前記ユーザへ通知する指示情報を生成する指示情報生成部と、
を備える、情報処理システム。
【請求項１７】
外部装置との情報の送受信を行う通信部と、
足裏の加重分布情報を取得する圧力検出部と、
前記加重分布情報に基づき生成された指示情報に基づいて、足裏の特定の場所に刺激を与える刺激発生部と、
を備える、インソール。
【手続補正２】
【補正対象書類名】明細書
【補正対象項目名】０００７
【補正方法】変更
【補正の内容】
【０００７】
また、本開示によれば、ユーザの足裏の加重検出情報を取得する圧力検出部と、検出された加重検出情報に基づいて、足裏の加重分布情報を取得する加重分布情報生成部と、加重分布情報に基づいて、ユーザへ通知する指示情報を生成する指示情報生成部と、を備える、情報処理システムが提供される。
【手続補正３】
【補正対象書類名】明細書
【補正対象項目名】００２５
【補正方法】変更
【補正の内容】
【００２５】
足裏刺激機構１３０は、ユーザの足裏を刺激して情報を通知するための機構である。足裏刺激機構１３０としては、例えば振動による刺激、形状変化による刺激、電気的刺激等を発生させるものを使用してもよい。振動による刺激は、例えばバイブレータや圧電素子等を用いて発生させてもよい。形状変化による刺激は、例えば圧電素子等を用いてインソールの厚みを変化させることによって発生させてもよい。電気的刺激は、例えば低周波の微弱な電気を人体へ流すことで発生させてもよい。例えば、圧電素子を用いた場合には、圧力センサ１１０と足裏刺激機構１３０とを兼用することが可能である。足裏刺激機構１３０は、制御部１２０により駆動制御される。
【手続補正４】
【補正対象書類名】明細書
【補正対象項目名】００４２
【補正方法】変更
【補正の内容】
【００４２】
次いで、通信端末２００は、加重分布情報生成部２２０により加重分布情報を生成する（Ｓ２０）。加重分布情報は、複数位置で取得された加重データから得た加重位置とその強さを含む情報である。加重分布情報は、所定の間隔で取得してもよい。これにより、ユーザの足裏の加重分布の変化を認識することができる。例えば、図５に示すように、スキーで左側にターンをしているユーザの足裏の加重分布は、時刻Ａ〜時刻Ｆまでの間に、両足ともに親指側に加重がある状態から左側に加重がある状態となり、再び親指側に加重がある状態となる、というように刻々と変化する。このような加重分布情報を記録し保持することで、ユーザの動作の癖や欠点等を分析したり、ユーザへの適切な情報提供を行ったりするための判断情報として二次利用することも可能となる。加重分布情報の二次利用については、後述する。
【手続補正５】
【補正対象書類名】明細書
【補正対象項目名】００４４
【補正方法】変更
【補正の内容】
【００４４】
ユーザへの指示は、例えば、ユーザの足裏に対して刺激を与えることにより行ってもよい。このとき、指示情報は、ユーザの足裏に対して刺激を与えるための刺激情報である。ユーザへの足裏への刺激は、インソール１００に設けられた足裏刺激機構１３０を駆動させることにより行われる。足裏刺激機構１３０は、例えば、振動による刺激や、形状変化による刺激、電気的刺激等の刺激を発生させるように構成してもよい。指示情報生成部２３０は、お手本となる加重分布情報と検出されたユーザの加重分布情報とを比較し、加重の位置とその強さの差分に応じて、ユーザの加重分布がお手本の加重分布に近づくように誘導する刺激情報を生成する。
【手続補正６】
【補正対象書類名】明細書
【補正対象項目名】００４８
【補正方法】変更
【補正の内容】
【００４８】
以上、本実施形態に係る情報処理システムによるユーザへの加重誘導処理について説明した。本実施形態によれば、ユーザの足裏の加重分布情報を生成し、ユーザが行っている動作のお手本となる加重分布と比較して、ユーザの加重のかけ方がお手本に近づくように誘導する指示情報を生成し、ユーザに通知する。これにより、ユーザは、明確に指示を受けて、正しい動作に近づくように容易に動くことができるようになる。
【手続補正７】
【補正対象書類名】明細書
【補正対象項目名】００４９
【補正方法】変更
【補正の内容】
【００４９】
＜５．ユースケース＞
［５．１．スキー、スノーボード］
本実施形態に係る情報処理システムは、例えばスキーやスノーボードの指導に適用することができる。スキーやスノーボードにおいて、ターンをしながら滑ったり、停止したりする各動作において加重のかけ方が異なり、正しく加重することでその動作が上達する。しかし、指導者が口頭で加重のかけ方を説明しても、ユーザにとって加重をかける位置を明確に認識するのは難しく、また、指示に従って正しく加重しているのかもわかりにくい。そこで、本実施形態に係る情報処理システムにより、ユーザの加重分布情報を取得して、お手本となる加重分布と比較し、正しい加重のかけ方を通知することで、ユーザに分かりやすい指示を与えることができる。
【手続補正８】
【補正対象書類名】明細書
【補正対象項目名】００５１
【補正方法】変更
【補正の内容】
【００５１】
また、情報処理システムを用いることで、ユーザの加重分布とお手本となる加重分布との比較により指示情報生成部２３０により指示情報を生成し、ユーザに対して正しい加重のかけ方を直接的に指示し、正しい加重のかけ方となるようユーザを誘導できる。
【手続補正９】
【補正対象書類名】明細書
【補正対象項目名】００５７
【補正方法】変更
【補正の内容】
【００５７】
［５．２．ゴルフ、テニス］
本実施形態に係る情報処理システムは、例えばゴルフやテニスの指導にも適用することができる。ユーザの加重分布情報を取得することで、ユーザの癖や欠点の解析、調子のばらつき解析、コースやコート毎の注意点等を取得することが可能となる。また、１ショット時の加重分布情報と、コースやコート、スコア等の情報とを連携させると、より詳細な分析が可能となる。
【手続補正１０】
【補正対象書類名】明細書
【補正対象項目名】００７７
【補正方法】変更
【補正の内容】
【００７７】
なお、以下のような構成も本開示の技術的範囲に属する。
（１）
ユーザの足裏に設けられた圧力センサにより検出された加重検出情報に基づいて、足裏の加重分布情報を取得する加重分布情報生成部と、
前記加重分布情報に基づいて、前記ユーザへ通知する指示情報を生成する指示情報生成部と、
を備える、情報処理装置。
（２）
前記指示情報は、前記ユーザの足裏に対して刺激を与えるための刺激情報である、前記（１）に記載の情報処理装置。
（３）
前記刺激情報は、振動による刺激、形状変化による刺激、または電気的刺激のうち少なくともいずれか１つを発生させる情報である、前記（２）に記載の情報処理装置。
（４）
前記指示情報生成部は、前記加重検出情報に含まれる加重強度に応じて、足裏への刺激の強さを変化させる、前記（２）または（３）に記載の情報処理装置。
（５）
前記指示情報は、ユーザに対して加重する位置を示す加重誘導情報である、前記（１）〜（４）のいずれか１項に記載の情報処理装置。
（６）
前記加重誘導情報は、映像または音声のうち少なくとも一方により提示される、前記（５）に記載の情報処理装置。
（７）
前記指示情報生成部は、前記ユーザの加重分布情報と、見本とする動作の加重強度分布を示す参照情報とを比較して、前記指示情報を生成する、前記（１）〜（６）のいずれか１項に記載の情報処理装置。
（８）
前記指示情報生成部は、前記ユーザまたは第三者の加重検出情報に連動して、前記ユーザへの指示を通知する機器を駆動させる指示情報を生成する、前記（１）〜（７）のいずれか１項に記載の情報処理装置。
（９）
前記指示情報生成部は、前記ユーザまたは第三者が装着するセンシングデバイスより検出されたセンサ情報に連動して、前記ユーザへの指示を通知する機器を駆動させる指示情報を生成する、前記（１）〜（８）のいずれか１項に記載の情報処理装置。
（１０）
前記指示情報生成部は、前記ユーザまたは第三者を撮影した映像に連動して、前記ユーザへの指示を通知する機器を駆動させる指示情報を生成する、前記（１）〜（９）のいずれか１項に記載の情報処理装置。
（１１）
前記ユーザのインソールに設けられたインソール通信部と通信可能な通信部を備える、前記（１）〜（１０）のいずれか１項に記載の情報処理装置。
（１２）
前記指示情報生成部は、１または複数の制御対象機器に対する指示情報を生成する、前記（１）〜（１１）のいずれか１項に記載の情報処理装置。
（１３）
前記指示情報生成部は、ユーザの進行方向を指示する情報を生成する、前記（１）〜（１２）のいずれか１項に記載の情報処理装置。
（１４）
前記加重分布情報生成部により取得された加重分布情報を蓄積する記憶部を備える、前記（１）〜（１３）のいずれか１項に記載の情報処理装置。
（１５）
蓄積された加重分布情報に基づいて、ユーザの動作特性を分析する分析部を備える、前記（１４）に記載の情報処理装置。
（１６）
ユーザの足裏の加重検出情報を取得する圧力検出部と、
検出された前記加重検出情報に基づいて、足裏の加重分布情報を取得する加重分布情報生成部と、
前記加重分布情報に基づいて、前記ユーザへ通知する指示情報を生成する指示情報生成部と、
を備える、情報処理システム。
（１７）
外部装置との情報の送受信を行う通信部と、
足裏の加重分布情報を取得する圧力検出部と、
前記加重分布情報に基づき生成された指示情報に基づいて、足裏の特定の場所に刺激を与える刺激発生部と、
を備える、インソール。
【手続補正１１】
【補正対象書類名】図面
【補正対象項目名】図１０
【補正方法】変更
【補正の内容】
【図１０】
2017000522.tif 000001